【手続補正書】
【提出日】平成19年3月7日(2007.3.7)
【手続補正１】
【補正対象書類名】明細書
【補正対象項目名】特許請求の範囲
【補正方法】変更
【補正の内容】
【特許請求の範囲】
【請求項１】  複数の文書データを記憶可能な記憶手段の文書データを印刷可能な印刷手段を有する印刷装置であって、
複数の文書データを１つの結合文書データとして印刷させるための指示を、操作手段を介してユーザから受け付けた場合に、
前記記憶手段の複数の文書データを１つの結合文書データとして前記印刷手段により印刷可能にする制御手段を有し、
前記制御手段は、
前記指示を受け付けなかった場合に、前記複数の文書データをそれぞれ別々の文書データとして前記印刷手段により連続して印刷可能にすることを特徴とする印刷装置。
【請求項２】  請求項１記載の印刷装置であって、
前記制御手段は、
前記指示を受け付けた場合に、前記複数の文書データに含まれる第１の文書データと第２の文書データを１つのシートの両面に印刷させ、
前記指示を受け付けなかった場合に、前記第１の文書データと前記第２の文書データをそれぞれ別々のシートに印刷させることを特徴とする印刷装置。
【請求項３】  請求項１又は２記載の印刷装置であって、
前記制御手段は、
前記指示を受け付けた場合に、前記複数の文書データに含まれる第１の文書データと第２の文書データを１つのシートの同一面上に印刷させ、
前記指示を受け付けなかった場合に、前記第１の文書データと前記第２の文書データをそれぞれ別々のシートに印刷させることを特徴とする印刷装置。
【請求項４】  請求項１乃至３の何れかに記載の印刷装置であって、
前記制御手段は、
前記指示を受け付けなかった場合に、
前記記憶手段の複数の文書データのうちの前記操作手段を介してユーザにより選択された複数の文書データを、前記操作手段を介して行われた前記ユーザの前記複数の文書データに対する選択順序と同じ順序で順次印刷させ、
前記指示を受け付けた場合に、
前記複数の文書データが前記選択順序と同じ順序で結合された１つの結合文書データを前記印刷手段により印刷させることを特徴とする印刷装置。
【請求項５】  複数の文書データを記憶可能な記憶手段の文書データを印刷可能な印刷手段を有する印刷装置のための制御方法であって、
前記制御方法は、
複数の文書データを１つの結合文書データとして印刷させるための指示を操作手段を介してユーザから受け付けた場合に、
前記記憶手段の複数の文書データを１つの結合文書データとして前記印刷手段により印刷可能にし、
前記制御方法は、
前記指示を受け付けなかった場合に、前記複数の文書データをそれぞれ別々の文書データとして前記印刷手段により連続して印刷可能にすることを特徴とする制御方法。
【請求項６】  請求項５記載の制御方法であって、
前記制御方法は、
前記指示を受け付けた場合に、前記複数の文書データに含まれる第１の文書データと第２の文書データを１つのシートの両面に印刷させ、
前記指示を受け付けなかった場合に、前記第１の文書データと前記第２の文書データをそれぞれ別々のシートに印刷させることを特徴とする制御方法。
【請求項７】  請求項５又は６記載の制御方法であって、
前記制御方法は、
前記指示を受け付けた場合に、前記複数の文書データに含まれる第１の文書データと第２の文書データを１つのシートの同一面上に印刷させ、
前記指示を受け付けなかった場合に、前記第１の文書データと前記第２の文書データをそれぞれ別々のシートに印刷させることを特徴とする制御方法。
【請求項８】  請求項５乃至７の何れかに記載の制御方法であって、
前記制御方法は、
前記指示を受け付けなかった場合に、
前記記憶手段の複数の文書データのうちの前記操作手段を介してユーザにより選択された複数の文書データを、前記操作手段を介して行われた前記ユーザの前記複数の文書データに対する選択順序と同じ順序で順次印刷させ、
前記指示を受け付けた場合に、
前記複数の文書データが前記選択順序と同じ順序で結合された１つの結合文書データを前記印刷手段により印刷させることを特徴とする制御方法。
【請求項９】  請求項５乃至８の何れかに記載の制御方法をコンピュータに実行させるためのプログラムを記憶したコンピュータ読み取り可能な記憶媒体。
【手続補正２】
【補正対象書類名】明細書
【補正対象項目名】０００１
【補正方法】変更
【補正の内容】
【０００１】
【発明の属する技術分野】
本発明は、複数の文書データを記憶可能な記憶手段の文書データを印刷可能な印刷手段を有する印刷装置および制御方法および記憶媒体に関するものである。
【手続補正３】
【補正対象書類名】明細書
【補正対象項目名】００１２
【補正方法】変更
【補正の内容】
【００１２】
本発明は、上記の問題点を解決するためになされたもので、本発明は、複数の文書データを記憶可能な印刷装置の記憶手段に記憶される複数の文書データを１つの結合文書データとして印刷装置の印刷手段により印刷でき、且つ、前記複数の文書データをそれぞれ別々の文書データとして該印刷手段により連続して印刷できるのみならず、例えば、１つの結合文書データとして印刷させるか、それぞれ別々の文書データとして連続して印刷させるかに関して、印刷装置の操作手段からのユーザの指示に従い動作できるようにする仕組を提供することである。
【手続補正４】
【補正対象書類名】明細書
【補正対象項目名】００１３
【補正方法】変更
【補正の内容】
【００１３】
【課題を解決するための手段】
本発明は、複数の文書データを記憶可能な記憶手段の文書データを印刷可能な印刷手段を有する印刷装置であって、複数の文書データを１つの結合文書データとして印刷させるための指示を、操作手段を介してユーザから受け付けた場合に、前記記憶手段の複数の文書データを１つの結合文書データとして前記印刷手段により印刷可能にする制御手段を有し、前記制御手段は、前記指示を受け付けなかった場合に、前記複数の文書データをそれぞれ別々の文書データとして前記印刷手段により連続して印刷可能にすることを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】０２４４
【補正方法】変更
【補正の内容】
【０２４４】
【発明の効果】
以上説明したように、請求項１記載の本発明によれば、複数の文書データを記憶可能な記憶手段の複数の文書データを１つの結合文書データとして印刷手段により印刷でき、且つ、前記複数の文書データをそれぞれ別々の文書データとして該印刷手段により連続して印刷できるのみならず、例えば、１つの結合文書データとして印刷させるか、それぞれ別々の文書データとして連続して印刷させるかに関して、操作手段からのユーザの指示に従い動作できるようにした印刷装置が提供できるという効果を奏する。
【手続補正１６】
【補正対象書類名】明細書
【補正対象項目名】０２４５
【補正方法】削除
【補正の内容】
【手続補正１７】
【補正対象書類名】明細書
【補正対象項目名】０２４６
【補正方法】削除
【補正の内容】
【手続補正１８】
【補正対象書類名】明細書
【補正対象項目名】０２４７
【補正方法】削除
【補正の内容】
【手続補正１９】
【補正対象書類名】明細書
【補正対象項目名】０２４８
【補正方法】削除
【補正の内容】
【手続補正２０】
【補正対象書類名】明細書
【補正対象項目名】０２４９
【補正方法】変更
【補正の内容】
【０２４９】
従って、印刷装置の記憶手段内に蓄積された複数の文書を文書間にまたがる用紙の表面および裏面に対して連続して印刷することや、用紙の縮小レイアウト領域に対して連続した配置で印刷することを印刷指定時の簡単な操作により容易に行うことができる等の効果を奏する。